(57)【要約】      （修正有）【課題】汚物の分離収去が効率的に行われる汚物の２段分離構造を有する真空掃除機用サイクロン集塵装置を提供する。【解決手段】空気流入部１１４及び空気排出部１１７を備えたサイクロンボディーを第１外筒１１２と第１内筒１１３からなる２重壁構造とし、サイクロンボディーに脱着自在に嵌合される汚物収去筒も前記第１外筒及び第１内筒に対応する第２外筒１３２と第２内筒１３３からなる２重壁構造とし、サイクロンボディー内の旋回気流によって分離される汚物を前記２重壁間の空間に収去されるようにした。さらに空気から分離された汚物が前記空気排出部を通して逆流しないように前記サイクロンボディー内部の空気排出部の入口にグリル１５０を設けた。【選択図】      図４
2004181207.tif 000002
【特許請求の範囲】
【請求項１】
下部が開放された第１外筒及び第１内筒の２重構造を有するボディー部、前記ボディー部上面の前記第１内筒位置にそれぞれ連結された空気流入部及び空気排出部とを備え、前記空気流入部を通して流入される汚物を含んだ空気が旋回気流を形成するようにし、前記第１内筒の下部側面には前記旋回気流によって空気から遠心分離される汚物を前記第１内筒と第１外筒との間の空間部へ排出させるための少なくとも１つの第１汚物排出路が形成されたサイクロンボディーと；
前記サイクロンボディー内の旋回気流によって空気から分離される汚物を収去するように前記サイクロンボディーに着脱自在に結合され、前記第１外筒に対応する第２外筒及び前記第１内筒に対応する第２内筒の２重構造を有することにより内部が第１汚物収去部と第２汚物収去部とに区切られ、前記第２内筒の下部の側面には前記第１汚物収去部の汚物を前記第２汚物収去部へ排出させるための少なくとも１つの第２汚物排出路が形成された汚物収去筒と；
空気から分離された前記汚物が前記空気排出部を通して逆流しないように前記サイクロンボディー内部の前記空気排出部の入口に設けられるグリルと；
を含むことを特徴とする真空掃除機用サイクロン集塵装置。
【請求項２】
互いに対向するように形成された１対の前記第１汚物排出路と第２汚物排出路とを備えることを特徴とする請求項１に記載の真空掃除機用サイクロン集塵装置。
【請求項３】
前記グリルは、
グリルボディーと；
前記グリルボディーの外周面に前記空気排出部と疎通するように形成された複数の流路と；
を含むことを特徴とする請求項１に記載の真空掃除機用サイクロン集塵装置。
【請求項４】
前記流路は、前記グリルボディーの外周面に一定間隔を隔てて所定角度傾斜して配置された複数の流路部材によって形成されていることを特徴とする請求項３に記載の真空掃除機用サイクロン集塵装置。
【請求項５】
第１グリルは、
グリルボディーと；
前記グリルボディーの外周面に前記空気排出部と疎通するように形成された複数の流路と；
前記グリルボディーの下部に設けられ、前記汚物収去筒で空気と共に上昇する汚物を反射させて再び旋回気流に入り込まれるようにする汚物遮断部材と；
を備えることを特徴とする請求項１に記載の真空掃除機用サイクロン集塵装置。
【請求項６】
前記流路は、前記グリルボディーの外周面に一定間隔を隔てて所定角度傾斜して配置された複数の流路部材によって形成されていることを特徴とする請求項５に記載の真空掃除機用サイクロン集塵装置。
【請求項７】
前記汚物遮断部材は、前記グリルボディーの下端円周から所定角度下方へ拡張する円錐部、及び該円錐部から直下方へ所定長さ延ばされる円筒部とを備えることを特徴とする請求項５に記載の真空掃除機用サイクロン集塵装置。
【請求項８】
前記汚物遮断部材は、前記グリルボディーに一体に形成されていることを特徴とする請求項７に記載の真空掃除機用サイクロン集塵装置。
【請求項９】
前記汚物遮断部材は、前記グリルボディーに分離形成され、結合手段によって前記グリルボディーに組み立てられることを特徴とする請求項７に記載の真空掃除機用サイクロン集塵装置。
【請求項１０】
前記結合手段は、前記汚物遮断部材と前記グリルボディーの結合部に互いに対応するように形成された固定突起部及び固定溝部とから成り、前記固定突起部及び固定溝部はそれぞれ長軸及び短軸を有し、前記長軸同士に一致させて固定突起部を固定溝部へ挿入した後、前記固定突起部を回転させて固定突起部の長軸が固定溝部の短軸に係止され固定されるようになっていることを特徴とする請求項９に記載の真空掃除機用サイクロン集塵装置。
【発明の詳細な説明】
【０００１】
【発明の属する技術分野】
本発明は、吸込みブラシを通して吸込まれる埃及び各種異物質（以下“汚物”と称する）を含んだ空気が旋回気流を形成するようにし、遠心力によって旋回気流から汚物を分離収去する真空掃除機用サイクロン集塵装置に関し、特に汚物の２段分離構造を有する真空掃除機用サイクロン集塵装置に関する。
【０００２】
【従来の技術】
真空掃除機用サイクロン集塵装置の典型的な１例が図１及び図２に概略的に示されている。
【０００３】
図１及び図２に示すように、一般的な真空掃除機用サイクロン集塵装置１００は、サイクロンボディー１０、汚物収去筒２０、及びグリル３０とを含む。
【０００４】
サイクロンボディー１０は、空気流入管１１と空気排出管１２とを備える。空気流入管１１はサイクロンボディー１０の側面の一側に連結され、空気排出管１２はサイクロンボディー１０の上面の中央に連結される。ここで、空気流入管１１は、サイクロン集塵装置１００を掃除機本体２００に取付けるとき、掃除機本体２００に吸込みブラシ３００と連通するように形成された空気流入路２１０に連結され、また空気排出管１２は、掃除機本体２００にモータ駆動室３１０と連通するように形成された空気排出路２２０に連結される。
【０００５】
よって、吸込みブラシ３００を通して流入される汚物を含んだ空気は、掃除機本体２００の空気流入路２１０及び空気流入管１１を通ってサイクロンボディー１０内へ接線方向に流入される。これによりサイクロンボディー１０には旋回気流が形成され、該旋回気流に含まれた汚物は遠心力によって分離し、浄化された空気は空気排出管１２、掃除機本体２００の空気排出路２２０、及びモータ駆動室３１０を通って外部へ排出される。
【０００６】
汚物収去筒２０は、サイクロンボディー１０の下部に着脱自在に結合され、サイクロンボディー１０の旋回気流によって空気から遠心分離される汚物を収去する。
【０００７】
グリル３０は、サイクロンボディー１０内部の空気排出管１２の入口に設けられ、旋回気流から分離された汚物が空気排出管１２を通して逆流しないようにする。かかるグリル３０は、グリルボディー３１、及びグリルボディー３１の外周面に空気排出管１２と連通するように形成された複数の流路３２とを備える。また、グリル３０は、グリルボディー３１の下部に設けられた汚物遮断部材３３とを備える。
【０００８】
このように構成された一般的なサイクロン集塵装置は、サイクロンボディー１０の空気流入管１１及び空気排出管１２が、それぞれ掃除機本体２００の空気流入路２１０及び空気排出路２２０に連結するように掃除機本体２００に取付けられる。
【０００９】
掃除を開始すると、モータ駆動室３１０のモータが駆動するにつれて吸込みブラシ３００に吸込み力が発生する。該吸込み力によって被掃除面の汚物を含んだ空気が吸込みブラシ３００、空気流入路２１０、及び空気流入管１１を通ってサイクロンボディー１０内へ流入される。このとき、流入される空気は、空気流入管１１によってサイクロンボディー１０の内周に沿って斜線方向にガイドされて旋回気流を形成することになり、これにより空気中に含まれた汚物は遠心力によって分離され汚物収去筒２０に収去される。また、浄化された空気は、グリル３０の流路３２、空気排出管１２、空気排出路２２０、及びモータ駆動室３１０を通って外部へ排出される。ここで、汚物収去筒２０の底面で反転上昇する気流に便乗して空気と共に上昇する汚物は、汚物遮断部材３３によって反射され再び旋回気流に入り込まれることになり、一方、汚物遮断部材３３によって分離されない汚物は、流路３２を通り過ぎず再び旋回気流に入り込まれる。
【００１０】
上記のような真空掃除機用サイクロン集塵装置において、旋回気流から分離される汚物の収去及び逆流の防止は、掃除機の集塵効率に大きな影響を与える要因であるため、効率的に行われるようにする試みや研究が絶えず進められているが、その構造上限界があるのが実状である。
【００１１】
なお、一般的な真空掃除機用サイクロン集塵装置は、汚物収去筒２０の汚物収去部が旋回気流に完全に露出されており、上昇気流に便乗して空気と共に上昇することを避けることができないので、汚物の収去が非効率的に行われるだけでなく、上記のような上昇する汚物の一部（微細汚物）がグリル３０の流路３２へ接近し易く、流路３２を通して逆流することを避けることができない。このような汚物の非効率的な収去及び汚物の逆流は、単一構造になっている汚物の分離構造及びグリル３０構造を有する図１及び図２に示すような一般的な真空掃除機用サイクロン集塵装置では、その改善に限界があり、よって構造的な改善、すなわち汚物をより効率的に分離収去すると共に、汚物がグリル３０の流路３２側へ接近し易くならないようにするための構造的な改善が要望されている。
【００１２】
【発明が解決しようとする課題】
本発明は、従来の前記問題点に鑑みてなされたものであり、本発明の目的は、汚物の２段分離構造を有すると共に、汚物収去部を旋回気流と隔離することにより、汚物の分離収去が効率的に行われるように構造を改善した真空掃除機用サイクロン集塵装置を提供することである。
【００１３】
本発明の他の目的は、グリル流路の近くに汚物が接近しにくくて汚物の逆流が殆ど生じないように構造を改善した真空掃除機用サイクロン集塵装置を提供することである。
【００１４】
【課題を解決するための手段】
上記目的を果たすための本発明による真空掃除機用サイクロン集塵装置は、下部が開放された第１外筒及び第１内筒の２重構造を有するボディー部、前記ボディー部上面の前記第１内筒位置にそれぞれ連結された空気流入部及び空気排出部とを備え、前記空気流入部を通して流入される汚物を含んだ空気が旋回気流を形成するようにし、前記第１内筒の下部側面には前記旋回気流によって空気から遠心分離される汚物を前記第１内筒と第１外筒との間の空間部へ排出させるための少なくとも１つの第１汚物排出路が形成されたサイクロンボディーと；前記サイクロンボディー内の旋回気流によって空気から分離される汚物を収去するように前記サイクロンボディーに着脱自在に結合され、前記第１外筒に対応する第２外筒及び前記第１内筒に対応する第２内筒の２重構造を有することにより内部が第１汚物収去部と第２汚物収去部とに区切られ、前記第２内筒の下部の側面には前記第１汚物収去部の汚物を前記第２汚物収去部へ排出させるための少なくとも１つの第２汚物排出路が形成された汚物収去筒と；空気から分離された前記汚物が前記空気排出部を通して逆流しないように前記サイクロンボディー内部の前記空気排出部の入口に設けられるグリルと；を含む。
【００１５】
本発明の望ましい実施の形態によると、真空掃除機用サイクロン集塵装置は、互いに対向するように形成された１対の前記第１汚物排出路と第２汚物排出路とを備える。
【００１６】
前記グリルは、グリルボディーと；前記グリルボディーの外周面に前記空気排出部と疎通するように形成された複数の流路と；を含む。
【００１７】
また、前記グリルは、前記グリルボディーの下部に設けられ、前記汚物収去筒で空気と共に上昇する汚物を反射させて、再び旋回気流に入り込まれるようにする汚物遮断部材；を備えることができる。
【００１８】
ここで、上記流路は、上記グリルボディーの外周面に一定間隔を隔てて所定角度傾斜して配置された複数の流路部材によって形成されることが望ましい。
【００１９】
前記汚物遮断部材は、前記グリルボディーの下端円周から所定角度下方へ拡張する円錐部、及び該円錐部から直下方へ所定長さ延ばされる円筒部とを備えることが望ましい。
【００２０】
また、前記汚物遮断部材は、前記グリルボディーに一体に形成され得るし、前記グリルボディーに分離形成され、別途の結合手段によって組み立てられ得る。
【００２１】
前記結合手段は、前記汚物遮断部材と前記グリルボディーの結合部に互いに対応するように形成された固定突起部及び固定溝部とからなり得る。このとき、前記固定突起部及び固定溝部はそれぞれ長軸及び短軸を有し、前記長軸同士に一致させて固定突起部を固定溝部へ挿入した後、前記固定突起部を回転させて固定突起部の長軸が固定溝部の短軸に係止され固定されるようになることが望ましい。
【００２２】
【発明の実施の形態】
本発明の上記目的及び他の長所は、添付図面に基づいて本発明の好適な実施の形態を詳述することによってより明らかになる。
【００２３】
以下に添付図面を参照しながら、本発明にかかる真空掃除機用サイクロン集塵装置の好適な実施の形態について詳細に説明する。なお、本明細書及び図面において、実質的に同一の機能構成を有する構成要素については、同一の符号を付することにより重複説明を省略する。
【００２４】
図３及び図４に示すように、本発明の一実施の形態に係る真空掃除機用サイクロン集塵装置１００は、サイクロンボディー１１０、汚物収去筒１３０、及びグリル１５０とを含む。
【００２５】
サイクロンボディー１１０は、ボディー部１１１、空気流入部１１４、空気排出部１１７とを備える。ボディー部１１１は、その下部が開放された第１外筒１１２と第１内筒１１３との２重の円筒構造を有する。第１内筒１１３の下部側の側面には、１対の第１汚物排出路１１３ａ、１１３ｂが形成される。空気流入部１１４及び空気排出部１１７は、ボディー部１１１の上面１１１ａの第１内筒１１３の位置にその一端が連結される。図５に示すように、サイクロン集塵装置１００を掃除機本体２００に取付けるとき、空気流入部１１４及び空気排出部１１７の他端はそれぞれ、掃除機本体２００に形成された空気流入路２１０及び空気排出路２２０に連結される。空気流入路２１０は吸込みブラシ３００と連通し、空気排出路２２０はモータ駆動室３１０と連通する。また、空気流入部１１４は第１内筒１１３の内周面に接線方向に連結され、空気排出部１１７は第１内筒１１３の上部の中央部に連結される。
【００２６】
よって、掃除時に吸込みブラシ３００（図５参照）を通して流入される汚物を含んだ空気は、空気流入路２１０及び空気流入部１１４を通してサイクロンボディー１１０の内部へ接線方向に流入される。これにより、サイクロンボディー１１０には旋回気流が形成され、該旋回気流に含まれた汚物の一部は、遠心力によって空気から分離され、更に浄化された空気は、空気排出部１１７、掃除機本体２００の空気排出路２２０、及びモータ駆動室３１０を通って外部へ排出される。このとき、空気から分離する上記汚物の一部は、第１汚物排出路１１３ａ、１１３ｂを通して第１内筒１１３と第１外筒１１２との間の空間Ｓへ排出され、このように排出される汚物は、後述する汚物収去筒１３０の第２汚物収去部Ｄ２へ落ちて収去される。
【００２７】
一方、図示の例では、１対の第１汚物排出路１１３ａ、１１３ｂが第１内筒１１３で対向するように形成された形態を示しているが、汚物排出路は１つのみ形成され得るし、３つ形成され得るなど、その個数は図示例に限定されるものではない。
【００２８】
汚物収去筒１３０は、サイクロンボディー１１０で旋回気流によって空気から分離する汚物を収去するようにサイクロンボディ１１０の下部に着脱自在に結合される。汚物収去筒１３０は、第１外筒１１２に対応する第２外筒１３２、及び第１内筒１１３に対応する第２内筒１３３の２重の構造を有し、その内部が第２内筒１３３によって区切られる第１汚物収去部Ｄ１と、該外側の第２汚物収去部Ｄ２とに区切られて形成される。また、第２内筒１３３の下部の側面には、第１汚物収去部Ｄ１の汚物を第２汚物収去部Ｄ２へ排出させるための１対の第２汚物排出路１３３ａ，１３３ｂが互いに対向するように形成される。
【００２９】
サイクロンボディー１１０で形成された旋回気流は汚物収去筒１３０の第１汚物収去部Ｄ１に降下し続けるが、このとき、上記旋回気流に含まれた第１汚物排出路１１３ａ，１１３ｂへ排出されない汚物は、第２汚物排出路１３３ａ、１３３ｂを通して第２汚物収去部Ｄ２へ排出されて収去される。次いで空気は汚物収去筒１３０の底面で反転上昇して空気排出部１１７側へガイドされる。
【００３０】
上記のような汚物収去筒１３０の構成において、第２内筒１３３に形成される第２汚物排出路１３３ａ，１３３ｂは図示したように２個形成され得るし、あるいは１つのみで形成され得るが、それ以上も形成され得るなどその数は限定されない。また、汚物収去筒１３０にはその取り扱いを容易にするためのハンドル１３８が設けられることが望ましく、汚物収去筒１３０に汚物が溜まると汚物収去筒１３０のみを分離して内部の汚物を捨てることができる。
【００３１】
グリル１５０は、空気から分離した上記汚物が空気排出部１１７を通して逆流しないように、サイクロンボディー１１０の内部の空気排出部１１７の入口に設けられる。グリル１５０は、グリルボディー１５１、及びグリルボディー１５１の外周面に空気排出部１１７と疎通するように形成された複数の流路１５２とを備える。
【００３２】
また、グリル１５０は、グリルボディー１５１と、グリルボディー１５１の外周面に空気排出部１１７と疎通するように形成された複数の流路１５２、及びグリルボディー１５１の下部に設けられて汚物収去筒１３０で空気と共に上昇する汚物を反射させて再び旋回気流に入り込まれるようにする汚物遮断部材１５３とを備える構造も可能であり、後者の方が前者より汚物の逆流をより効果的に防止できるので望ましい。
【００３３】
流路１５２は、グリルボディー１５１の外周面に一定間隔を隔てて所定角度傾斜して配置された複数の流路部材によって形成されることが望ましいが、それに限定されるものではなく、流路１５２は、グリルボディー１５１の外周面に複数の微細通孔を直接穿孔することによっても形成され得る。
【００３４】
汚物遮断部材１５３は、グリルボディー１５１の下端の円周から所定角度下向へ拡張する円錐部１５３ａと、円錐部１５３ａから直下方へ所定長さ延ばされた円筒部１５３ｂとを備えるように構成される。このような本発明の汚物遮断部材１５３によると、従来の単なる円板形や円錐形に比してより効果的に汚物、特に細長い髪の毛のような汚物も反射させて流路１５２に接近しないようにすることができる。
【００３５】
また、汚物遮断部材１５３は、グリルボディー１５１に一体に形成され得るが、図示したように、汚物遮断部材１５３をグリルボディー１５１と別途分離して形成し、分離された汚物遮断部材１５３を結合手段１６０を用いてグリルボディー１５１に組み立てることが成形や組立性の側面からみて有利である。
【００３６】
結合手段１６０は、汚物遮断部材１５３をグリルボディー１５１に組み立てる構成であれば良いが、望ましくは、図示したように、汚物遮断部材１５３とグリルボディー１５１との結合部に互いに対応するように形成された固定突起部１６１と固定溝部１６２とから成っている。
【００３７】
ここで、固定突起部１６１及び固定溝部１６２はそれぞれ長軸と短軸を有し、上記長軸同士を一致させて固定突起部１６１を固定溝部１６２に挿入した後固定突起部１６１を回転させて、固定突起部１６１の長軸が固定溝部１６２の短軸に係止して固定されるようにする。これにより汚物遮断部材１５３は、グリルボディー１５１に組立てられ得る。
【００３８】
このように構成された本発明による真空掃除機用サイクロン集塵装置では、図５に示すように、サイクロンボディー１１０の空気流入部１１４及び空気排出部１１７が、それぞれ掃除機本体２００の空気流入路２１０及び空気排出路２２０に連結するように掃除機本体２００に取付けられる。
【００３９】
掃除を開始すると、モータ駆動室３１０のモータが駆動するにつれ、吸込みブラシ３００に吸込み力が発生する。該吸込み力によって被掃除面の汚物を含んだ空気が吸込みブラシ３００、掃除機本体２００の空気流入路２１０、及びサイクロンボディー１１０の空気流入部１１４を通してサイクロンボディー１１０内へ流入される。このとき、流入される空気は、空気流入部１１４によってサイクロンボディー１１０の第１内筒１１３の内周に沿って斜線方向にガイドされ旋回気流を形成することになり（図４の実線矢印参照）、これにより空気中に含まれた汚物は遠心力によって分離される。上記のように空気から分離された汚物は、第１内筒１１３に形成された第１汚物排出路１１３ａ、１１３ｂを通って空間Ｓへ排出され、汚物収去筒１３０の第２汚物収去部Ｄ２に落ちて収去される（図４の太い矢印参照）。
【００４０】
一方、上記旋回気流は、汚物収去筒１３０の第１汚物収去部Ｄ１へ降下し続け、このように降下する旋回気流に含まれた汚物は遠心力によって空気から分離され続ける。ここで、分離された汚物は、汚物収去筒１３０の第２内筒１３３に形成された第２汚物排出路１３３ａ、１３３ｂを通って第２汚物収去部Ｄ２へ排出され収去される（図４の太い矢印参照）。
【００４１】
汚物収去筒１３０の底面まで降下した旋回気流は、その底面で反転して上昇するが（図４の実線の矢印参照）、このように上昇する気流によって汚物収去筒１３０に収去された汚物の一部は空気と共に上昇する。しかし、本発明では、上記のように上昇する汚物は汚物遮断部材１５３が位置するところで汚物遮断部材１５３によって反射されそれ以上上昇せず、再び旋回気流に入り込まれる。特に、本発明の汚物遮断部材１５３は、円錐部１５３ａと円筒部１５３ｂとを備えることにより、細長い髪の毛のような汚物も効果的に反射させることにより、グリル３０の流路３２側へ汚物が接近しないようにする。よって、グリル３０の流路３２を通した汚物の流路を最小化できる。
【００４２】
反転上昇する気流に便乗して上昇する空気は、最終的にグリル３０の流路３２を通って排出されるが、空気に含まれた汚物収去筒１３０に収去されないか、又は汚物遮断部材１５３によって分離されない−微細汚物は、流路３２を通り過ぎず最終的に空気から分離して再び旋回気流に入り込まれる。
【００４３】
上記のような過程にて汚物が分離されて浄化された空気は、グリル３０の流路３２、空気排出部１１７、掃除機本体２００の空気排出路２２０、及びモータ駆動室３１０を通って外部へ排出される。
【００４４】
以上で説明したように、本発明による真空掃除機用サイクロン集塵装置は、旋回気流に含まれた汚物がサイクロンボディー１１０の内筒１１３に形成された第１汚物排出路１１３ａ、１１３ｂを通して汚物収去筒１３０の第２汚物収去部Ｄ２へ排出され１次収去され、次いで、汚物収去筒１３０の第２内筒１３３に形成された第２汚物排出路１３３ａ、１３３ｂ通って第２汚物収去部Ｄ２へ排出され収去される２段の汚物の分離収去構造を有し、また汚物が収去される第２汚物収去部Ｄ２が旋回気流に露出されず隔離しているため、汚物の分離収去がより効率的に行われる。
【００４５】
また、上記のような作用によっても空気から分離されず空気と共に上昇する汚物の一部は、汚物遮断部材１５３によって反射され再び旋回気流に入り込まれて、汚物がグリル３０の流路３２側に接近できなくなり、更に汚物遮断部材１５３によって分離されない微細汚物は最終的にグリル３０の流路３２によって再び旋回気流に入り込まれるので、汚物の逆流を最小化できる。
【００４６】
以上、添付図面を参照しながら本発明の真空掃除機用サイクロン集塵装置の好適な実施形態について説明したが、本発明はかかる例に限定されない。当業者であれば、特許請求の範囲に記載された技術的思想の範疇内において各種の変形例又は修正例に想到し得ることは明らかであり、それらについても当然に本発明の技術的思想に属するものと了解される。
【００４７】
【発明の効果】
以上で説明したような本発明によると、汚物の分離収去がより効率的に行われるだけでなく汚物の逆流が殆ど生じないため、掃除機の集塵効率を大幅向上でき、よって使用者の立場から非常に満足してもらえる真空掃除機を提供することができるので、製品競争力を高められる。
【図面の簡単な説明】
【図１】一般的な真空掃除機用サイクロン集塵装置及び該サイクロン集塵装置の掃除機への取付け例を概略的に示す斜視図である。
【図２】図１に示したサイクロン集塵装置の組立状態の断面図である。
【図３】本発明の一実施の形態による真空掃除機用サイクロン集塵装置を示す分解斜視図である。
【図４】図３に示した本発明の一実施の形態による真空掃除機用サイクロン集塵装置の組立状態の断面図である。
【図５】本発明の一実施の形態によるサイクロン集塵装置の掃除機への取付け例を概略的に示す斜視図である。
【符号の説明】
１００    サイクロン集塵装置
１１０    サイクロンボディー
１１１    ボディー部
１１２    第１外筒
１１３    第１内筒
１１３ａ、１１３ｂ  第１汚物排出路
１１４    空気流入部
１１７    空気排出部
１３０    汚物収去筒
１３２    第２外筒
１３３    第２内筒
１３３ａ、１３３ｂ  第２汚物排出路
１５０    グリル
１５１    グリルボディー
１５２    流路
１５３    汚物遮断部材
１５３ａ  円錐部
１５３ｂ  円筒部
１６０    結合手段
１６１、１６２  固定突起部及び固定溝部
Ｓ        空間
Ｄ１、Ｄ２  第１及び第２汚物収去部
【図１】
2004181207.tif 000003
【図２】
2004181207.tif 000004
【図３】
2004181207.tif 000005
【図４】
2004181207.tif 000006
【図５】
2004181207.tif 000007